(57)【要約】【課題】注水信号の発信、停止の繰り返しを防止し、使い勝手の良い加湿装置を提供する。【解決手段】加湿容器部４１は、タンク部４２が装着された水受け部分４１１と加湿フィルター部４３が設けられた浸漬部分４１２とに仕切り部分４４によって仕切られ、仕切り部分４４は、水受け部分４１１と浸漬部分４１２とを連通し、水が通過する開口４４０を有する。浸漬部分４１２は送風路に設けられると共に、上下方向に移動自在に設けられたフロート部６１を有し、水位検知手段６０は、浮力を有するフロート部６１と、フロート部６１の位置を検知する検知部６２とで構成される。制御手段７０は、送風手段５０の動作中、フロート部６１が所定の高さ以下であることを検知部６２が検知した時に、送風手段５０を停止すると共に、注水信号を発信する。【選択図】図４
2015227769.tif 000002
【特許請求の範囲】
【請求項１】
吸込口と吹出口とを備えたケースと、前記ケース内に設けられた加湿手段と、前記吸込口から吸い込まれた空気を送風路により、前記加湿手段を介して吹出口から吹き出す送風手段と、前記加湿手段の水位を検知する水位検知手段と、前記送風手段を制御する制御手段とを備えた加湿装置であって、
前記加湿手段は、水を貯水できる加湿容器部と、前記加湿容器部に水を供給するタンク部と、前記加湿容器部内の水に一部が浸漬した加湿フィルター部とを備え、
前記加湿容器部は、前記タンク部が装着された水受け部分と前記加湿フィルター部が設けられた浸漬部分とに仕切り部分によって仕切られ、
前記仕切り部分は、前記水受け部分と前記浸漬部分とを連通し、水が通過する開口を有し、
前記浸漬部分は前記送風路に設けられると共に、上下方向に移動自在に設けられたフロート部を有し、
前記水位検知手段は、浮力を有する前記フロート部と、前記フロート部の位置を検知する検知部とで構成され、
前記制御手段は、前記送風手段の動作中、前記フロート部が所定の高さ以下であることを前記検知部が検知した時に、前記送風手段の動作を停止すると共に、注水信号を発信する、加湿装置。
【請求項２】
前記加湿フィルター部は、円板形状の加湿フィルター部分と、前記加湿フィルター部分を前記浸漬部分で回転自在可能に支持する枠部分と、前記枠部分を回転させるフィルタ回転部分とを備え、
前記枠部分は、回転軸を水平方向に備え、
前記フロート部の少なくとも一部は、水面よりも上方に位置する前記加湿フィルター部分と前記枠部分の下方に設けられている、請求項１に記載の加湿装置。
【請求項３】
前記送風手段は、前記加湿フィルター部分を前記加湿フィルター部分の軸方向に空気が流れるように、前記加湿フィルター部分の下流側に設けられており、
前記フロート部は、前記浸漬部分に上下方向に揺動自在可能に設けられ、揺動軸によって揺動し、
前記揺動軸の軸方向は、前記枠部分の回転軸の軸方向に対して直交方向であると共に水平面上に位置し、
前記検知部は、前記送風手段の下方に位置する、請求項２に記載の加湿装置。
【請求項４】
前記フロート部は、フロート固定ボックスと、フロート芯とを含み、
前記フロート固定ボックスには、一端に前記揺動軸の第一凸部分が設けられていると共に、他端に弾性を備える係止構造が設けられ、
前記係止構造には前記揺動軸の第二凸部分が設けられ、
前記浸漬部分には、前記第一凸部分と係合する第一凹部分、及び前記第二凸部分と係合する第二凹部分が設けられ、
前記第一凹部分と前記第二凹部分の上方にはそれぞれ第一ガイド溝と第二ガイド溝とが設けられている、請求項３に記載の加湿装置。
【発明の詳細な説明】
【技術分野】
【０００１】
本発明は加湿装置に関する。
【背景技術】
【０００２】
図１Ａは公知の技術の斜視図であり、図１Ｂは公知の技術の浸漬部と水受け部の斜視図である。
【０００３】
図１Ａと図１Ｂに示すように、加湿装置１は、タンク２と、ファンモータで回転される送風ファン（図示せず）と、タンク２の水を貯水する加湿容器４とを含み、その加湿容器４は、水受け部５と浸漬部７とを仕切る仕切り８を有する。仕切り８は、開口９を備え、この開口９によって、水受け部５と浸漬部７とが連通している。水受け部５はタンク２とフロート１０とを備え、浸漬部７は加湿フィルタ１１を備えている。
【発明の概要】
【発明が解決しようとする課題】
【０００４】
使用者が加湿装置１を起動してファンモータの回転で送風ファンが回転すると、水受け部５の水が開口９を介して浸漬部７へ流れ込み、それにより、浸漬部７の水位は、通常の水位よりも高くなると同時に、水受け部５の水位よりも高くなる。送風ファンによって浸漬部７の水が開口９を介して水受け部５に逆流しない負圧が生じるので、送風ファンが回転しているときは、上記の水位が維持される。
【０００５】
加湿装置１の運転時に、タンク２の水を使い切ると、水受け部５への水の供給がなくなる。これにより、水受け部５の水位が段々下がると同時に、フロート１０も下がる。フロート１０が所定の位置よりも低い位置に下がると、加湿装置１は注水信号を発信し、ファンモータの回転が停止される。そのとき、送風ファンが停止されると、負圧がなくなり、浸漬部７の水位と水受け部５の水位とが同一になるように、浸漬部７の水が、仕切り８の開口９を通じて水受け部５へ逆流する。水受け部５の水位が上がると同時に、フロート１０も上がる。そのとき、フロート１０が所定の位置よりも高い位置に上がると、注水信号も停止し、送風ファンが自動的に回転する。この送風ファンの回転で、水受け部５の水が、開口９を通じて再び浸漬部７へ戻される。これにより、水受け部５の水位は再び下がってフロート１０が所定の位置よりも低い位置に下がり、送風ファンの回転が再び停止され、加湿装置１が再び注水信号を発信する。このように、注水信号の発信、停止を繰り返す場合があり、使い勝手の悪い場合があった。
【課題を解決するための手段】
【０００６】
そこで、本発明は、
吸込口と吹出口とを備えたケースと、前記ケース内に設けられた加湿手段と、前記吸込口から吸い込まれた空気を送風路により、前記加湿手段を介して吹出口から吹き出す送風手段と、前記加湿手段の水位を検知する水位検知手段と、前記送風手段を制御する制御手段とを備えた加湿装置であって、
前記加湿手段は、水を貯水できる加湿容器部と、前記加湿容器部に水を供給するタンク部と、前記加湿容器部内の水に一部が浸漬した加湿フィルター部とを備え、
前記加湿容器部は、前記タンク部が装着された水受け部分と前記加湿フィルター部が設けられた浸漬部分とに仕切り部分によって仕切られ、
前記仕切り部分は、前記水受け部分と前記浸漬部分とを連通し、水が通過する開口を有し、
前記浸漬部分は前記送風路に設けられると共に、上下方向に移動自在に設けられたフロート部を有し、
前記水位検知手段は、浮力を有する前記フロート部と、前記フロート部の位置を検知する検知部とで構成され、
前記制御手段は、前記送風手段の動作中、前記フロート部が所定の高さ以下であることを前記検知部が検知した時に、前記送風手段の動作を停止すると共に、注水信号を発信する、加湿装置を提供する。
【発明の効果】
【０００７】
本発明によれば、注水信号の発信、停止の繰り返しを防止し、使い勝手の良い加湿装置を提供することができる。
【図面の簡単な説明】
【０００８】
【図１Ａ】公知の技術の斜視図
【図１Ｂ】公知の技術の浸漬部と水受け部の斜視図
【図２Ａ】本発明の斜視図
【図２Ｂ】本発明のケースを取り除いた状態の斜視図
【図３】本発明の送風手段と加湿手段の斜視図
【図４】本発明の浸漬部分と水受け部分と検知手段の斜視図
【図５】本発明の加湿フィルターとフロート部と浸漬部分の取り付けを示す図
【図６Ａ】本発明の浸漬部分の斜視図
【図６Ｂ】本発明の浸漬部分の斜視図
【図７】本発明のフロート部の斜視図
【発明を実施するための形態】
【０００９】
図２Ａは本発明の斜視図であり、図２Ｂは本発明のケースを取り除いた状態の斜視図であり、図３は本発明の送風手段と加湿手段の斜視図であり、図４は本発明の浸漬部分と水受け部分と検知手段の斜視図である。
【００１０】
図に示すように、本発明に係る加湿装置２０は、吸込口３１と吹出口３２とを備えたケース３０と、ケース３０内に設けられた加湿手段４０と、吸込口３１から吸い込まれた空気を送風路により、加湿手段４０を介して吹出口３２から吹き出す送風手段５０と、加湿手段４０の水位を検知する水位検知手段６０と、送風手段５０を制御する制御手段７０とを備えている。加湿手段４０は、水を貯水できる加湿容器部４１と、加湿容器部４１に水を供給するタンク部４２と、加湿容器部４１内の水に一部が浸漬する加湿フィルター部４３とを備えている。加湿容器部４１は、タンク部４２が装着される水受け部分４１１と加湿フィルター部４３が設けられる浸漬部分４１２とに仕切り部分４４によって仕切られ、仕切り部分４４は、水受け部分４１１と浸漬部分４１２とを連通し、水が通過する開口４４０を有する。浸漬部分４１２は、送風路に設けられると共に、上下方向に移動自在可能に設けられたフロート部６１を有している。水位検知手段６０は、浮力を有するフロート部６１と、フロート部６１の位置を検知する検知部６２とで構成されている。制御手段７０は、送風手段５０の動作中に、フロート部６１が所定の高さ以下であることを検知部６２が検知した時、送風手段５０の動作を停止すると共に、注水信号を発信する。
【００１１】
送風手段５０が駆動すると、浸漬部分４１２は負圧になる。この負圧により、水受け部分４１１の水が浸漬部分４１２側に引っ張られ、浸漬部分４１２の水位が水受け部分４１１の水位よりも高くなる。
【００１２】
タンク部４２内の水が全て水受け部分４１１に供給された時には水受け部分４１１への水の供給がなくなるので、浸漬部分４１２の水位が段々下がり、フロート部６１も下がる。このように、フロート部６１が所定の位置よりも低い位置に下がると、制御手段７０が注水信号を発信し、送風手段５０の動作が停止される。送風手段５０が停止されると負圧がなくなり、水は浸漬部分４１２側から水受け部分４１１側に移動するため、浸漬部分４１２の水位は更に下がる。すなわち、浸漬部分４１２に設置されたフロート部６１が上がって注水信号が再び停止することは起こらない。フロート部６１を上げさせる水がないので、使用者がタンク部４２に水を入れるまで注水信号は停止しない。
【００１３】
すなわち、注水信号の発信、停止を繰り返すことがないので、使い勝手の良い加湿装置２０を提供することができる。
【００１４】
図５は本発明の加湿フィルターとフロート部と浸漬部分の取り付けを示す図である。
【００１５】
図３、図５に示すように、加湿フィルター部４３は、円板形状の加湿フィルター部分４３１と、加湿フィルター部分４３１を浸漬部分４１２で回転自在可能に支持する枠部分４３２と、枠部分４３２を回転させるフィルタ回転部分４３３とを備えている。加湿フィルター部分４３１の周縁部の一部が浸漬部分４１２の水に常に浸漬するように、枠部分４３２は、回転軸４５を水平方向に備える。フロート部６１の少なくとも一部は、水面よりも上方に位置する加湿フィルター部分４３１と枠部分４３２の下方に設けられている。
【００１６】
もともと使われていないスペースである水面よりも上方に位置する加湿フィルター部分４３１と枠部分４３２の下方のスペースに、フロート部６１の少なくとも一部を設ける構成となるので、浸漬部分４１２のスペースが大きくなることを抑制することができる。
【００１７】
図３、図４に示すように、送風手段５０によって加湿フィルター部分４３１を該加湿フィルター部分４３１の軸方向に空気が流れるように、送風手段５０は加湿フィルター部分４３１の下流側に設けられている。
【００１８】
フロート部６１は、浸漬部分４１２に上下方向に揺動自在可能に設けられ、揺動軸６１０によって揺動する。揺動軸６１０の軸方向は、枠部分の回転軸４５の軸方向に対して直交方向であると共に水平面上に位置する。検知部６２は、送風手段５０の下方に位置する。
【００１９】
検知部６２を、送風路の下方である送風手段５０の下方のスペースに設けることにより、ケース３０の寸法が大きくなることを抑制することができる。
【００２０】
図６Ａは本発明の浸漬部分の斜視図であり、図６Ｂは本発明の浸漬部分の斜視図であり、図７は本発明のフロート部の斜視図である。
【００２１】
図に示すように、フロート部６１は、フロート固定ボックス６１１と、フロート芯６１２とを有している。フロート固定ボックス６１１には、一端に搖動軸６１０の第一凸部分６１３が設けられているとともに、他端に弾性を備える係止構造６１５が設けられ、係止構造６１５に揺動軸６１０の第二凸部分６１５が設けられている。浸漬部分４１２には、第一凸部分６１３と係合する第一凹部分４１３、及び第二凸部分６１４と係合する第二凹部分４１４が設けられている。第一凹部分４１３と第二凹部分４１４の上方にはそれぞれ第一ガイド溝４１５と第二ガイド溝４１６が設けられている。
【００２２】
加湿フィルター部分４３１の一端が浸漬部分４１２に浸漬するように加湿フィルター部分４３１を固定すると共に、水量が少ないときにフロート部６１が水に浸漬することを確保するために、浸漬部分４１２は細長い形状で設けられている。しかし、細長い形状の浸漬部分４１２では、フロート部６１の取付スペースが狭くなる。
【００２３】
狭い取付スペースでフロート部６１を便利且つ簡単に取り付けるために、本発明は第一凹部分４１３と第二凹部分４１４の上方に、それぞれ第一ガイド溝４１５と第二ガイド溝４１６とを設けている。
【００２４】
フロート部６１を取り付けるために、浸漬部分４１２にはフロート固定ボックス６１１の第一凸部分６１３と係合する第一凹部分４１３、及びフロート固定ボックス６１１の第二凸部分６１４と係合する第二凹部分４１４とが設けられている。第二凸部分６１４は弾性を備える係止構造６１５に設けられている。また、第一凹部分４１３と第二凹部分４１４の上方にはそれぞれ第一ガイド溝４１５と第二ガイド溝４１６とが設けられている。第一凸部分６１３を第一ガイド溝４１５の上方に置きつつ第二凸部分６１４を第二ガイド溝４１６の上方に置いた状態で軽い力でフロート部６１を押し下げれば、係止構造６１５が弾性を有するので、押し下げる力により、フロート部６１が、第一ガイド溝４１５と第二ガイド溝４１６にガイドされつつ変形しながら、第一凹部分４１３と第二凹部分４１４に滑り込む。これにより、取り付けがより便利、より簡単になる。
【符号の説明】
【００２５】
２０  加湿装置
３０  ケース
３１  吸込口
３２  吹出口
４０  加湿手段
４１  加湿容器部
４２  タンク部
４３  加湿フィルター部
４４  仕切り部分
４５  回転軸
５０  送風手段
６０  水位検知手段
６１  フロート部
６２  検知部
７０  制御手段
【図１Ａ】
2015227769.tif 000003
【図１Ｂ】
2015227769.tif 000004
【図２Ａ】
2015227769.tif 000005
【図２Ｂ】
2015227769.tif 000006
【図３】
2015227769.tif 000007
【図４】
2015227769.tif 000008
【図５】
2015227769.tif 000009
【図６Ａ】
2015227769.tif 000010
【図６Ｂ】
2015227769.tif 000011
【図７】
2015227769.tif 000012